(57)【要約】      （修正有）【課題】ウォームアップ完了を遅延させることなく、コントローラー部の起動前でも進捗表示することができる画像形成装置を提供する。【解決手段】コントローラー部よりも早期に起動するイルミネーション制御部を設けて、当該イルミネーション制御部がコントローラー部から画像形成装置各部の起動状態の進捗通知を受信する前においてはＳ５０２：ＮＯ、電源投入後に計測された経過時間から推定して画像形成装置全体の起動の進捗を表示しＳ５０３、進捗通知を受信した後はＳ５０２：ＹＥＳ、当該進捗通知に基づいて画像形成装置全体の起動の進捗を表示するＳ５０４。【選択図】図５
2014098747.tif 000002
【特許請求の範囲】
【請求項１】
電源投入後、並行して起動される複数の制御手段を有する画像形成装置であって、
前記画像形成装置全体の起動の進捗状態を多段階で表示する表示手段と、
前記表示手段の表示状態を制御する表示制御手段と、を備え、
前記表示制御手段は、
電源投入後に計時した経過時間から前記画像形成装置全体の起動の進捗状態を推定する推定手段と、
前記複数の制御手段の起動の進捗状態を受け付ける受付手段と、を有しており、
全ての制御手段の進捗状態、或いは起動の完了が最も遅れている制御手段の起動の進捗状態を受け付ける前は前記推定された進捗状態に応じて、また、当該進捗状態を受け付けた後は当該受け付けた進捗状態に応じて、前記表示手段に起動の進捗状態を表示させる
ことを特徴とする画像形成装置。
【請求項２】
前記表示制御手段は、前記複数の制御手段の何れよりも早く起動を完了する
ことを特徴とする請求項１に記載の画像形成装置。
【請求項３】
前記推定手段は、電源投入後、前記複数の制御手段すべての起動が完了するために要する標準的な起動時間に対する前記経過時間の比を用いて前記進捗状態を推定する
ことを特徴とする請求項１に記載の画像形成装置。
【請求項４】
前記複数の制御手段に含まれる制御対象の構成に対応した制御手段の種類に応じて前記起動時間を記憶する記憶手段を備え、
前記推定手段は、前記複数の制御手段に含まれる制御手段の種類に応じた起動時間を用いて前記進捗状態を推定する
ことを特徴とする請求項３に記載の画像形成装置。
【発明の詳細な説明】
【技術分野】
【０００１】
本発明は、画像形成装置に関し、特に、画像形成装置の起動状態の進捗を精度よく表示する技術に関する。
【背景技術】
【０００２】
従来、画像形成装置においては、電源投入時に装置の起動状態を操作パネルにアニメーション表示等してユーザーに報知する技術が広く知られている。しかしながら、操作パネルは所謂コントローラー部の制御下にあるため、コントローラー部が立ち上がるまで起動状態を表示することができない。
このような問題に対して、例えば、特許文献１においては、コントローラー部に搭載されたメインＣＰＵ（Central Processing Unit）とは別に動作するサブ表示コントローラーを設け、電源投入後、メインＣＰＵが立ち上がるまでの間に、「しばらくお待ちください」等のメッセージを表示する技術が提案されている。このようにすれば、コントローラー部が立ち上がる前であっても、画像形成装置のユーザーに対して一定の表示を行うことができる。
【先行技術文献】
【特許文献】
【０００３】
【特許文献１】特開２００９−０６６８８６号公報
【発明の概要】
【発明が解決しようとする課題】
【０００４】
しかしながら、上記従来技術に係る画像形成装置においては、固定されたメッセージを表示するのみであるため、画像形成装置の起動状態がどの程度まで進行したかを示す進捗状態を知ることができない、という問題がある。このため、画像形成装置のユーザーは、果たして起動が正常に進捗しているのか、中途で停滞しているのかを知ることができないので不安に囚われるおそれもある。
【０００５】
これに対して、コントローラー部の起動処理（ブート処理）に進捗表示処理を組み込んで、コントローラー部の起動前にも進捗表示を行う方法も考えられるが、ブート処理が肥大化するとブート完了が遅れ、延いてはウォームアップ完了が遅くなってしまう。このため、ウォームアップ完了を遅延させることなく進捗表示するのが望ましい。
また、従来、画像形成装置全体の起動完了は、記録シートにトナー像を定着する定着装置のウォームアップ完了と同義であったが、定着装置のウォームアップ時間が短縮されつつある一方、トナー像を定着された記録シートに対して製本処理などを行う後処理装置が複雑化し、その起動に要する時間も長くなってきている。このため、定着ウォームアップ時間だけに注目していては、画像形成装置の起動の進捗を精度良く把握することが難しくなってきている。
【０００６】
本発明は、上述のような問題に鑑みて為されたものであって、ウォームアップ完了を遅延させることなく、コントローラー部の起動前後に亘ってより精確に進捗表示することができる画像形成装置を提供することを目的とする。
【課題を解決するための手段】
【０００７】
上記目的を達成するため、本発明に係る画像形成装置は、電源投入後、並行して起動される複数の制御手段を有する画像形成装置であって、前記画像形成装置全体の起動の進捗状態を多段階で表示する表示手段と、前記表示手段の表示状態を制御する表示制御手段と、を備え、前記表示制御手段は、電源投入後に計時した経過時間から前記画像形成装置全体の起動の進捗状態を推定する推定手段と、前記複数の制御手段の起動の進捗状態を受け付ける受付手段と、を有しており、全ての制御手段の進捗状態、或いは起動の完了が最も遅れている制御手段の起動の進捗状態を受け付ける前は前記推定された進捗状態に応じて、また、当該進捗状態を受け付けた後は当該受け付けた進捗状態に応じて、前記表示手段に起動の進捗状態を表示させることを特徴とする。
【発明の効果】
【０００８】
このようにすれば、コントローラー部を含む複数の制御手段とは別体の表示制御手段を設けるので、コントローラー部のブートが完了する前に、コントローラー部のブート完了を遅延させることなく進捗表示を行うことができる。また、コントローラー部のブート完了後においては、起動が最も遅れている制御手段の進捗状態を参照するので、精度良く進捗表示を行うことができる。
【０００９】
この場合において、前記表示制御手段は、前記複数の制御手段の何れよりも早く起動を完了するのが望ましい。
また、前記推定手段は、電源投入後、前記複数の制御手段すべての起動が完了するために要する標準的な起動時間に対する前記経過時間の比を用いて前記進捗状態を推定しても良く、前記複数の制御手段に含まれる制御対象の構成に対応した制御手段の種類に応じて前記起動時間を記憶する記憶手段を備え、前記推定手段は、前記複数の制御手段に含まれる制御手段の種類に応じた起動時間を用いて前記進捗状態を推定すれば更に好適である。
【図面の簡単な説明】
【００１０】
【図１】本発明の実施の形態に係る画像形成装置の主要な構成を示す図である。
【図２】イルミネーション制御部１０１の主要な構成を示す図である。
【図３】イルミネーション表示部２０３の主要な構成を示す外観斜視図である。
【図４】イルミネーション制御部１０１、コントローラー部１０２及びエンジン部１０３の起動状態の推移を例示するタイムチャートである。
【図５】イルミネーション表示制御部２０２が実行するメインルーチンを示すフローチャートである。
【図６】イルミネーション表示制御部２０２が実行する推定表示処理を示すフローチャートである。
【図７】イルミネーション表示制御部２０２が実行する確定表示処理を示すフローチャートである。
【図８】イルミネーション表示部２０３による進捗表示を例示する図である。
【図９】本発明の変形例に係る画像形成装置の構成を示す図である。
【図１０】本発明の変形例に係る画像形成装置の別の構成を示す図である。
【図１１】本発明の変形例に係る画像形成装置の更に別の構成を示す図である。
【図１２】本発明の変形例に係るイルミネーション表示部２０３による進捗表示を例示する図である。
【発明を実施するための形態】
【００１１】
以下、本発明に係る画像形成装置の実施の形態について、図面を参照しながら説明する。
［１］画像形成装置の構成
まず、本実施の形態に係る画像形成装置の構成について説明する。
画像形成装置１は、図１に示されるように、原稿読み取り部１００、イルミネーション制御部１０１、コントローラー部１０２、エンジン部１０３及び排紙オプション部１０４を備えている。
【００１２】
イルミネーション制御部１０１は、画像形成装置１の起動状態の進捗表示を行うユニットであって、図２に示されるように、標準ウォームアップ完了時間記憶部２０１、イルミネーション表示制御部２０２及びイルミネーション表示部２０３を備えている。標準ウォームアップ完了時間記憶部２０１は、画像形成装置１全体として印字が可能になる標準的なウォームアップ完了時間（例えば、２０〜１８０秒）を記憶している。
【００１３】
イルミネーション表示制御部２０２は、原稿読み取り部１００、コントローラー部１０２、エンジン部１０３及び排紙オプション部１０４の複数の制御部の起動状態の進捗通知をコントローラー部１０２から受けて、イルミネーション表示部２０３のイルミネーション表示を制御する。なお、当該進捗通知によって、ウォームアップ完了（起動完了）までの残り時間（以下、「残余時間」という。）が、ミリ秒単位でコントローラー部１０２からイルミネーション表示部２０３に通知される。
【００１４】
イルミネーション表示部２０３は、個別に点消灯制御することができる複数のＬＥＤ（Light Emitting Diode）を備えており、イルミネーション表示制御部２０２の制御下、起動状態の進捗をイルミネーション表示する。本実施の形態においては、図３に示されるように、５つのＬＥＤ３０１〜３０５が基板３０６上に一列に配設されており、点灯されたＬＥＤの個数（０個〜５個）によって、２０％刻みで０％から１００％までの６段階の進捗状態が表示される。
【００１５】
原稿読み取り部１００は、原稿から原稿画像を読み取ってデジタル画像データを生成する。また、原稿読み取り部１００は、起動時に読み取り部の清掃やシェーディング補正等の処理を実行しながら、自己の起動状態の進捗をコントローラー部１０２に通知する。
コントローラー部１０２は、原稿読み取り部１００、エンジン部１０３及び不図示の操作パネルを統合して制御する。コントローラー部１０２は、起動時にブート処理やアプリケーションプログラムの起動処理などを実行しながら、自己の起動状態や原稿読み取り部１００やエンジン部１０３から通知された起動状態の進捗をイルミネーション制御部１０１に通知する。
【００１６】
エンジン部１０３は、画像形成処理を実行する。エンジン部１０３は、起動時に画像安定化処理などを実行しながら、自己の起動状態や排紙オプション部１０４から通知された起動状態の進捗をコントローラー部１０２に通知する。
排紙オプション部１０４は、エンジン部１０３作成した印刷物の後処理を行う。後処理としては、例えば、ステープル処理や糊付け製本処理が挙げられる。排紙オプション部１０４は、起動時に、例えば、糊付け製本に用いるグルーの溶融処理などを実行しながら、自己の起動状態をエンジン部１０３に進捗通知する。
【００１７】
なお、イルミネーション制御部１０１は、起動時にブート処理を実行するが、このブート処理は、図４に示されるように、コントローラー部１０２やエンジン部１０３等が実行するブート処理の完了に先立って完了する。イルミネーション制御部１０１は、電源投入と共にブート処理を開始し、ブート処理を完了したら、コントローラー部１０２等と通信可能になり、また、進捗表示が可能になる。
【００１８】
一方、コントローラー部１０２は、ブート処理が完了すると、原稿読み取り部１００やイルミネーション制御部１０１と通信可能になると共に、アプリケーションプログラムの起動を開始する。このアプリケーションプログラムの起動が完了すると、コントローラー部１０２は印字可能状態になる。
エンジン部１０３は、本実施の形態においては、コントローラー部１０２よりもブート処理に時間を要する。エンジン部１０３は、ブート完了後、コントローラー部１０２や排紙オプション部１０４と通信可能になると共に、定着ウォームアップを開始する。定着ウォームアップは、記録シートに担持されたトナーを加熱、溶融するために用いられる定着部材を所定温度まで昇温させる処理である。定着ウォームアップ完了後、エンジン部１０３は印字可能状態になる。
【００１９】
図４に示す例においては、イルミネーション制御部１０１以外の複数の制御部（エンジン部１０３、コントローラー部１０２）のうちで、最も遅い制御部（エンジン部１０３）が管理する構成部分が印字可能となるタイミング（図４では起動完了の縦線）、つまり全部の制御部が起動完了の信号を出力したタイミングが画像形成装置１全体の起動完了のタイミングである。
【００２０】
なお、図４では排紙オプション部１０４の起動完了のタイミングの図示は省略している。
［２］進捗表示処理
次に、画像形成装置１の起動の進捗表示を行うための処理について説明する。
（２−１）メインルーチン
進捗表示処理のメインルーチンとして、イルミネーション表示制御部２０２は、電源が投入されると、図５に示されるように、イルミネーション表示制御部２０２は、ブート処理を実行する（Ｓ５０１）。このブート処理においては、進捗カウンタの値が０にクリアされる。ブート処理を完了した後、コントローラー部１０２から進捗通知を受信していなければ（Ｓ５０２：ＮＯ）、後述のような推定表示処理を実行する（Ｓ５０３）。イルミネーション表示制御部２０２は、進捗通知を受信するまで、制御周期１００ミリ秒で推定表示処理を繰り返す。
【００２１】
コントローラー部１０２から進捗通知を受信したら（Ｓ５０２：ＹＥＳ）、後述のような確定表示処理（Ｓ５０４）を実行する。イルミネーション表示制御部２０２は、画像形成装置１のウォームアップが完了するまで、確定表示処理を繰り返す。その後、ウォームアップが完了したら（Ｓ５０５：ＹＥＳ）、イルミネーション表示部２０３にＬＥＤをすべて消灯させて（Ｓ５０６）、メインルーチンを終了する。
【００２２】
（２−２）推定表示処理（Ｓ５０３）
次に、推定表示処理について説明する。
コントローラー部１０２から進捗通知を受ける前は、イルミネーション表示制御部２０２は画像形成装置１のウォームアップの実際の進捗状態を知り得ないので、推定に基づいてイルミネーション表示を実行する。
【００２３】
図６に示されるように、推定表示処理おいて、イルミネーション表示制御部２０２は、まず、進捗カウンタの値を１だけ増加させ（Ｓ６０１）、進捗率を推定する（Ｓ６０２）。イルミネーション表示制御部２０２は、制御周期１００ミリ秒で推定表示処理を繰り返すので、進捗カウンタは１００ミリ秒ごとに１ずつ増加する。すなわち、進捗カウンタは、イルミネーション表示制御部２０２のブート完了後の経過時間を指標する。
【００２４】
また、標準ウォームアップ完了時間記憶部２０１に記憶されている標準的なウォームアップ完了時間を１００秒とした場合、進捗カウンタに換算すると１０００である。これらから進捗率の推定値が次式によって与えられる。
（進捗率）＝｛（進捗カウンタ値）÷（標準ＷＵＰ完了時間）｝×１００［％］
得られた進捗率の推定値が２０％未満ならば（Ｓ６０３：ＹＥＳ）ＬＥＤは点灯せずに、上位ルーチンに復帰し、さもなければ（Ｓ６０３：ＮＯ）、ＬＥＤ３０１を点灯する（Ｓ６０４）。以下同様に、進捗率の推定値に応じて（Ｓ６０５、Ｓ６０７、Ｓ６０９及びＳ６１１）ＬＥＤ３０２〜３０５を点灯し（Ｓ６０６、Ｓ６０８、Ｓ６１０及びＳ６１２）、メインルーチンに復帰する。
【００２５】
（２−３）コントローラー部１０２の処理
コントローラー部１０２は、原稿読み取り部１００、エンジン部１０３及び排紙オプション部１０４から進捗通知として、それぞれの残余時間を直接または間接的に受信する。コントローラー部１０２は、他から受信した残余時間と、コントローラー部１０２自身の残余時間との中で最も長い残余時間を選択する。最も長い残余時間が画像形成装置１全体の残余時間に近いと判断されるからである。
【００２６】
最も長い残余時間を選択したら、コントローラー部１０２は、イルミネーション表示制御部２０２に進捗通知する。
なお、コントローラー部１０２は、原稿読み取り部１００、エンジン部１０３及び排紙オプション部１０４のすべてから進捗通知を受信してから、イルミネーション表示制御部２０２に進捗通知を行う。これによって、進捗表示の精度を向上させることができる。
【００２７】
（２−４）確定表示処理（Ｓ５０４）
次に、確定表示処理について説明する。
イルミネーション表示制御部２０２は、コントローラー部１０２から最も長い残余時間を通知した制御部に関する進捗通知を受けた後は、実際の進捗状況に応じてイルミネーション表示を行う。
【００２８】
図７に示されるように、確定表示処理において、イルミネーション表示制御部２０２は、まず、進捗カウンタの値を１だけ増加させる（Ｓ７０１）。確定表示処理も制御周期１００ミリ秒で繰り返されるので、進捗カウンタは引き続いて１００ミリ秒ごとに１ずつ増加する。これにより、進捗カウンタのカウントアップを開始してからの経過時間（イルミネーション制御部１０１のブート完了後の経過時間）が掲示される。
【００２９】
次に、イルミネーション表示制御部２０２は、コントローラー部１０２から進捗通知を受信すると（Ｓ７０２：ＹＥＳ）、進捗率を算出する（Ｓ７０３）。進捗率の算出に際しては、まず、コントローラー部１０２からの進捗通知によって通知された残余時間を、進捗カウンタに合わせて、１００ミリ秒で除算して、残余時間カウント値が算出される。
（残余時間カウント値）＝（残余時間）÷１００ミリ秒
この残余時間カウント値を用いて、次式により、進捗率の確定値が算出される。
【００３０】
（進捗率）＝（進捗カウンタ値）÷｛（進捗カウンタ値）＋（残余時間カウント値）｝×１００［％］
例えば、進捗カウンタのカウントアップを開始してからの経過時間が５０秒（＝５０，０００ミリ秒）で、かつ、コントローラー部１０２から通知された残余時間が４５，０００ミリ秒である場合には、
（進捗カウンタ値）＝５０，０００ミリ秒÷１００ミリ秒＝５００
（残余時間カウント値）＝４５，０００ミリ秒÷１００ミリ秒＝４５０
より、
（進捗率）＝５００÷｛５００＋４５０｝×１００＝５７％
のように進捗率の確定値が算出される。
【００３１】
その後、進捗率の確定値に応じて、図６のステップＳ６０３からＳ６１２までと同様にして、ＬＥＤが点灯される（Ｓ７０４）。ステップＳ７０４の処理の後、及び、コントローラー部１０２から進捗通知を受信していない場合には（Ｓ７０２：ＮＯ）、メインルーチンに復帰する。
［３］進捗表示例
上に説明した処理によって実行される進捗表示を例示する。
【００３２】
図８は、イルミネーション表示部２０３による進捗表示を例示する図であって、ＳＴＥＰ１からＳＴＥＰ５に向かって進捗表示が進む。また、ＳＴＥＰ１〜３まではコントローラー部１０２からイルミネーション表示制御部２０２に進捗通知がなされる前の進捗表示であり、ＳＴＥＰ４、５はコントローラー部１０２から進捗通知がなされた後の進捗表示である。
【００３３】
図８に示されるように、コントローラー部１０２から進捗通知を受ける前は、イルミネーション表示部２０３が非点灯状態から本実施の形態においては４秒（＝２０秒÷５段階）間隔でＬＥＤ３０１、３０２の順に１つずつ点灯してゆく。すなわち、イルミネーション制御部１０１のブート完了直後はＬＥＤ３０１〜３０５すべてが消灯されており（ＳＴＥＰ１）、例えば、４秒経過後にＬＥＤ３０１がまず点灯され（ＳＴＥＰ２）、８秒経過後には更にＬＥＤ３０２が点灯される（ＳＴＥＰ３）。
【００３４】
その後、ブート完了から１２秒経過する前に、コントローラー部１０２から進捗通知を受けて、算出された進捗率が８０％以上で、かつ１００％未満である場合には、ＬＥＤ３０３、３０４が共に点灯される（ＳＴＥＰ４）。最終的に、コントローラー部１０２からの進捗通知に基づいて算出される進捗率が１００％に達すると、ＬＥＤ３０５が点灯され、画像形成装置１のウォームアップ完了が報知される（ＳＴＥＰ５）。
【００３５】
このように、本実施の形態によれば、コントローラー部１０２のブート完了前であっても、イルミネーション制御部１０１によって、画像形成装置１のウォームアップの進捗状態を段階的に表示することができる。
［４］変形例
以上、本発明を実施の形態に基づいて説明してきたが、本発明が上述の実施の形態に限定されないのは勿論であり、以下のような変形例を実施することができる。
【００３６】
（１）上記実施の形態においては、コントローラー部１０２が原稿読み取り部１００、エンジン部１０３及び排紙オプション部１０４から進捗通知を受信して、イルミネーション制御部１０１に進捗通知を行う場合について説明したが、本発明がこれに限定されないのは言うまでも無く、これに代えて次のようにしても良い。
例えば、図９に示されるように、エンジン部１０３が原稿読み取り部１００、コントローラー部１０２及び排紙オプション部１０４から進捗通知を受信して、イルミネーション制御部１０１に進捗通知を行っても良い。この場合においては、エンジン部１０３は、原稿読み取り部１００、コントローラー部１０２及び排紙オプション部１０４のすべてから残余時間を受信した後で、最も長い残余時間を選択する。
【００３７】
また、図１０に示されるように、イルミネーション制御部１０１が原稿読み取り部１００、コントローラー部１０２、エンジン部１０３及び排紙オプション部１０４から個別に進捗通知を受け取って、最も長い残余時間を選択しても良い。この場合においては、イルミネーション制御部１０１は、原稿読み取り部１００、コントローラー部１０２、エンジン部１０３及び排紙オプション部１０４のすべてから進捗通知を受け取るまでは推定表示処理（Ｓ５０３）を実行し、これらすべてから進捗通知を受け取った後で確定表示処理（Ｓ５０４）を実行する。
【００３８】
更に、図１１に示されるように、イルミネーション制御部１０１をエンジン部１０３に内蔵させて、例えば、エンジン部１０３の内部バスに接続しても良い。エンジン部１０３は、ブート完了後、原稿読み取り部１００、コントローラー部１０２及び排紙オプション部１０４から進捗通知を受け付けると、イルミネーション制御部１０１に進捗通知を送信する。
【００３９】
（２）上記実施の形態においては、標準ウォームアップ完了時間として１００秒を用いる場合について説明したが、本発明がこれに限定されないのは言うまでもなく、これに代えて別の時間を用いても良い。また、画像形成装置の構成（オプションの選択）に対応した制御部の種類によってウォームアップ完了時間は変化し得るので、オプション選択に応じて標準ウォームアップ完了時間を変更しても良い。
【００４０】
例えば、標準ウォームアップ完了時間記憶部２０１は標準ウォームアップ完了時間をコントローラー部１０２から書き換え可能な不揮発性メモリであるとし、画像形成装置の構成に応じて、或いは、操作パネルからのオプションの選択や、或いは標準ウォームアップ完了時間そのものの入力を受け付けて、コントローラー部１０２が標準ウォームアップ完了時間を書き換えても良い。
【００４１】
また、オプションごとの標準ウォームアップ完了時間を予め標準ウォームアップ完了時間記憶部２０１に記憶させており、オプション選択に応じて読み出す標準ウォームアップ完了時間を変えても良い。
（３）上記実施の形態においては、イルミネーション表示制御部２０２が、進捗通知前の点灯状態に関わらず、進捗通知後は通知された残余時間に応じてＬＥＤを点灯する場合について説明したが、本発明がこれに限定されないのは言うまでも無く、これに代えて次のようにしても良い。
【００４２】
例えば、図１２に示されるように、コントローラー部１０２から進捗通知を受ける以前、無点灯状態から（ＳＴＥＰ１）、２０％進捗した２０秒おきにＬＥＤ３０１〜３０４を順に点灯する（ＳＴＥＰ２〜３）。その後、コントローラー部１０２から受信した進捗通知から算出された進捗率が４０％以上で、かつ６０％未満である場合には、ＬＥＤ３０３、３０４を消灯する（ＳＴＥＰ４）。その後、進捗通知に合わせて、ＬＥＤ３０３を点灯する（ＳＴＥＰ５）。
【００４３】
このようにすれば、推定表示処理（Ｓ５０３）において、推定した進捗率に誤差が生じている場合であっても、確定表示処理（Ｓ５０４）において、コントローラー部１０２からの進捗通知に合わせて進捗を表示するので、進捗表示の精度を高めることができる。
（４）上記実施の形態においては、推定表示処理（Ｓ５０３）において、標準ウォームアップ完了時間に対する経過時間（進捗カウンタ値）の比を用いて進捗表示を行う場合について説明したが、本発明がこれに限定されないのは言うまでも無く、これに代えて次のようにしても良い。
【００４４】
例えば、標準ウォームアップ完了時間に代えて、ＬＥＤ３０１〜３０５を点灯させるべき時間間隔を記憶しておき、経過時間が当該点灯間隔の何倍になったかによって進捗表示を行っても良い。５段階表示する場合には、１段階あたり２０％増加するので、進捗率は、
（進捗率）＝｛（進捗カウンタ値）÷（点灯間隔）｝×２０［％］
と算出される。
【００４５】
また、上記実施の形態においては、進捗を５段階で表示したが、５段階以外で表示しても良い。例えば、イルミネーション表示部２０３が２つ以上で、かつ、５つ以外の個数のＬＥＤを備えており、ＬＥＤの個数段階の進捗状態を表示しても良い。
また、進捗率を数値表示しても良い。例えば、イルミネーション表示部２０３が７セグメントディスプレイを３ケタ分備えており、進捗率をパーセント表示しても良い。
【００４６】
（５）上記実施の形態において示した標準ウォームアップ完了時間やＬＥＤの個数などの数値は何れもあくまで例示に過ぎず、必要に応じて適当な数値を用いるべきである。
（６）上記実施の形態においては、電源投入時における起動の進捗状態を表示する場合について説明したが、本発明がこれに限定されないのは言うまでもなく、電源投入時以外であっても、イルミネーション制御部１０１以外の各部（コントローラー部１０２やエンジン部１０３等）がすべてブート起動されるような場合には、イルミネーション制御部１０１に進捗表示を行わせることによって、上記実施の形態と同様の効果を得ることができる。
【００４７】
（７）上記実施の形態においては、イルミネーション制御部１０１がＣＰＵを備えており、ブート処理を実行する場合について説明したが、本発明がこれに限定されないのは言うまでも無く、これに代えて次のようにしても良い。
例えば、コントローラー部１０２のブート完了前においては、イルミネーション表示部２０３のＬＥＤを一定時間ごとに点灯するようにハードウェアが構成されたイルミネーション表示制御部２０２によって進捗表示がなされ、コントローラー部１０２のブート完了後においては、コントローラー部１０２がイルミネーション表示部２０３を直接制御して進捗表示しても良い。このようにしても、上記実施の形態と同様の効果を得ることができる。
【００４８】
（８）上記実施の形態においては、本発明に係る画像形成装置１として原稿読み取り部１００を備えた場合について述べたが、本発明がこれに限定されないのは言うまでもなく、本発明に係る画像形成装置１を、原稿読み取り部１００を有さないプリンター装置であるとしても良い。また、上記実施の形態に係る画像形成装置１に通信部を加えたファクシミリ装置としても良いし、これらの機能を兼ね備えた複合機（MFP: Multi-Function Peripheral）としても良い。また、本発明に係る画像形成装置１はモノクロ画像のみを形成しても良いし、カラー画像を形成しても良い。以上の何れであるかに関わらず本発明の効果は同じである。
【産業上の利用可能性】
【００４９】
本発明に係る画像形成装置は、起動状態の進捗を精度よく表示する技術として有用である。
【符号の説明】
【００５０】
１…………………画像形成装置
１００……………原稿読み取り部
１０１……………イルミネーション制御部
１０２……………コントローラー部
１０３……………エンジン部
１０４……………排紙オプション部
２０１……………標準ウォームアップ完了時間記憶部
２０２……………イルミネーション表示制御部
２０３……………イルミネーション表示部
３０１〜３０５…ＬＥＤ
【図１】
2014098747.tif 000003
【図２】
2014098747.tif 000004
【図３】
2014098747.tif 000005
【図４】
2014098747.tif 000006
【図５】
2014098747.tif 000007
【図６】
2014098747.tif 000008
【図７】
2014098747.tif 000009
【図８】
2014098747.tif 000010
【図９】
2014098747.tif 000011
【図１０】
2014098747.tif 000012
【図１１】
2014098747.tif 000013
【図１２】
2014098747.tif 000014